【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
縦軸を有しており、
同相である複数の縦方向に配置された正弦波背骨要素と、
ラジアル方向に近接する背骨要素を接続する複数の背骨接続要素と、
を含み、
該背骨接続要素は、ｚ構成または鏡像ｚ構成を有する３つのバー部分で構成され、そして
各背骨接続要素の末端におけるラジアル方向に近接する背骨要素への接続点は、該背骨要素の相に対して少なくともおよそ同相である、アテローム硬化性病変の治療用の管状内腔内プロテーゼ。
【請求項２】
前記背骨接続要素の配向は、前記プロテーゼに対して側方に均一であり、ラジアル方向に交互する、請求項１に記載のプロテーゼ。
【請求項３】
前記背骨要素との接続点は、前記接続が行われる背骨要素のピークとトラフとの間にある、請求項１に記載のプロテーゼ。
【請求項４】
背骨接続要素が存在する各側方位置において、背骨要素は、１つのラジアル方向に近接する背骨要素にのみ接続されることにより、背骨接続要素のラジアル方向に交互するパターンを形成する、請求項１に記載のプロテーゼ。
【請求項５】
背骨接続要素の一つの列の中で側方に、該要素は、それぞれの側方に近接する背骨接続要素から約０．５波長分だけ離れている、請求項１に記載のプロテーゼ。
【請求項６】
前記背骨接続要素のラジアル方向に近接する列の該背骨接続要素は、互いから側方にオフセットしている、請求項１に記載のプロテーゼ。
【請求項７】
縦軸を有しており、
同相である複数の縦方向に配置された正弦波背骨要素と、
ラジアル方向に近接する背骨要素を接続する複数の背骨接続要素であって、各接続要素の末端におけるラジアル方向に近接する背骨要素への接続点は、該背骨要素の相に関して２波長分だけ離れている、複数の背骨接続要素と
を含み、
それぞれの背骨接続要素は、該接続要素が接続される該背骨要素の形状に従うように配向される３つのバー部分から構成される、アテローム硬化性病変の治療用の管状内腔内プロテーゼ。
【請求項８】
前記背骨接続要素は、前記縦軸に対して斜めに配向され、該背骨接続要素の該斜め配向は、前記プロテーゼに対して側方に均一であり、ラジアル方向に交互する、請求項７に記載のプロテーゼ。
【請求項９】
前記背骨要素との接続点は、該接続が行われる背骨要素のピークとトラフとの間にある、請求項７に記載のプロテーゼ。
【請求項１０】
前記プロテーゼの各端において、前記背骨要素は、それぞれ非外傷性タブ要素において終端する、請求項７に記載のプロテーゼ。
【請求項１１】
縦軸を有しており、
同相である複数の縦方向に配置された正弦波背骨要素と、
ラジアル方向に近接する背骨要素を接続する複数の背骨接続要素であって、各接続要素の末端におけるラジアル方向に近接する背骨要素への接続点は、該背骨要素の相に関して約１波長分だけ離れている、複数の背骨接続要素と
を含み、
該背骨接続要素は、基本的に単一のバー要素で構成される、アテローム硬化性病変の治療用の管状内腔内プロテーゼ。
【請求項１２】
背骨接続要素は、前記縦軸に対して斜めに配向され、該背骨接続要素の該斜め配向は、前記プロテーゼに対して側方に均一であり、ラジアル方向に交互する、請求項１１に記載のプロテーゼ。
【請求項１３】
前記背骨要素との接続点のそれぞれは、該接続が行われる背骨要素のピークとトラフとの間にある、請求項１１に記載のプロテーゼ。
【請求項１４】
前記プロテーゼの各端において、前記背骨要素は、それぞれ非外傷性タブ要素において終端する、請求項１１に記載のプロテーゼ。
【請求項１５】
縦軸を有しており、
同相である複数の縦方向に配置された正弦波背骨要素と、
ラジアル方向に近接する背骨要素を接続する複数の背骨接続要素と
を含み、
該背骨接続要素は、３つのバー部分で構成され、そして
各接続要素の末端におけるラジアル方向に近接する背骨要素への接続点は、該背骨要素の相に関して約４分の１波長分だけ離れている、アテローム硬化性病変の治療用の管状内腔内プロテーゼ。
【請求項１６】
前記背骨接続要素の配向は、前記プロテーゼに対して側方に均一であり、ラジアル方向に交互する、請求項１５に記載のプロテーゼ。
【請求項１７】
前記背骨要素との前記接続点は、前記接続が行われる背骨要素のピークとトラフとの間にある、請求項１５に記載のプロテーゼ。
【請求項１８】
前記プロテーゼの各端において、交互する背骨要素は、非外傷性タブ要素において終端する、請求項１５に記載のプロテーゼ。
【請求項１９】
任意で前記プロテーゼの末端を除く、ラジアル方向接続要素が存在する各側方位置において、背骨要素は、１つのラジアル方向に近接する背骨要素にのみ接続されることにより、背骨接続要素のラジアル方向に交互するパターンを形成する、請求項１５に記載のプロテーゼ。
【請求項２０】
一列の背骨接続要素の中で側方に、該要素は、それぞれの側方に近接する背骨接続要素から約１波長分だけ離れている、請求項１５に記載のプロテーゼ。
【請求項２１】
前記背骨接続要素のラジアル方向に近接する列の該背骨接続要素は、互いから側方にオフセットしている、請求項１５に記載のプロテーゼ。
【請求項２２】
ピークおよびトラフをそれぞれが含む複数のラジアル方向正弦波バンドであって、側方に近接するバンドの該ピークおよびトラフは同相である、複数のラジアル方向正弦波バンドと、
近接するバンドを互いに接続する複数の側方コネクタ要素と
を含み、
該側方コネクタ要素は、バンドの交互するピークを近接するバンドの該近接するトラフに接続し、そして
該側方コネクタ要素は側方に交互に配置される、アテローム硬化性病変の治療用の管状内腔内プロテーゼ。
【請求項２３】
前記側方コネクタ要素は、少なくとも実質的に真直ぐである、請求項２２に記載のプロテーゼ。
【請求項２４】
それぞれが曲線部分、２つの脚および２つの足を有する複数のアーチ型要素を含む複数のラジアル方向バンドであって、ラジアル方向バンド内の該アーチ型要素は、側方に配向して交互し、かつ、該ラジアル方向に近接するアーチ型要素の足を結合するアーチ接続要素によって、ラジアル方向に近接するアーチ型要素に接続する、複数のラジアル方向バンドと、
近接するラジアル方向バンドを互いに接続する複数のバンド接続要素であって、該バンド要素は、アーチ型要素のピークを側方に近接するバンドの側方に近接するアーチ要素のトラフに接続し、任意の２つのバンド接続要素は、同一のラジアル方向位置に配置されないので３つの連続的に配置されたラジアル方向バンドを接続する、複数のバンド接続要素と
を含む、アテローム硬化性病変の治療用の管状内腔内プロテーゼ。
【請求項２５】
前記バンド接続要素は、側方に交互する態様で配置される、請求項２４に記載のプロテーゼ。
【請求項２６】
バンド接続要素が配置される前記ラジアル方向位置において、前記バンド接続要素は、それぞれの近接する対のラジアル方向バンドの間に配置される、請求項２４に記載のプロテーゼ。
【請求項２７】
アーチ接続要素は、ラジアル方向に近接するアーチ接続要素の前記近接する足を接続する、請求項２４に記載のプロテーゼ。
【請求項２８】
前記アーチ接続要素は、少なくとも実質的に真直ぐなバー要素から基本的に構成される、請求項２７に記載のプロテーゼ。
【請求項２９】
水平に配向されたアーチ要素をそれぞれが含む複数のラジアル方向正弦波バンドであって、該水平に配向されたアーチ要素は、それぞれ曲線アーチ部分、２つの脚および２つの足を含み、ラジアル方向に近接するアーチ要素は、該ラジアル方向に近接するアーチ要素の該足の間に延在するバー要素によって互いに接続され、ラジアル方向に近接するアーチ要素の該水平配向は、各ラジアル方向正弦波バンド内で交互し、そして、側方に近接する正弦波バンドは互いに同相である、ラジアル方向正弦波バンドと、
近接するバンドを互いに接続する複数の側方コネクタ要素と
を含み、
該側方コネクタ要素は側方に近接するアーチ要素を互いに接続する、アテローム硬化性病変の治療用の管状内腔内プロテーゼ。
【請求項３０】
前記側方コネクタ要素は、前記アーチ要素の交互する列の中に存在する、請求項２９に記載のプロテーゼ。
【請求項３１】
前記側方コネクタ要素が存在する列の中において、該側方コネクタ要素は、すべての近接するラジアル方向バンド要素を互いに接続する、請求項２９に記載のプロテーゼ。
【請求項３２】
前記側方コネクタ要素は、前記アーチ要素をそれらのピークにおいて近接するラジアル方向バンドにおける対応するトラフに接続する、請求項２９に記載のプロテーゼ。
【請求項３３】
前記側方コネクタ要素は、真直ぐなまたは正弦波の形状である、請求項２９に記載のプロテーゼ。
【請求項３４】
前記アーチ要素の前記ピークおよびその直近における該アーチ要素の部分の幅は狭窄している、請求項２９に記載のプロテーゼ。
【請求項３５】
縦軸を有しており、
側方に近接するラジアル方向バンドに配置された複数の不連続な砂時計型要素であって、該砂時計型要素の縦軸はプロテーゼの該縦軸に対して均一に斜めに配向される、複数の砂時計型要素を含み、
砂時計型セルのラジアル方向バンド内で、各セルはその上に、ラジアル方向接続要素によってラジアル方向に近接する砂時計型要素と並んで接続され、そして、
ラジアル方向バンドの各砂時計型要素は、同一の側方軸を共有する側方に近接するラジアル方向バンドの砂時計型要素に、側方接続要素によって接続され、該側方接続要素は、該接続された砂時計型要素の側方軸と整列させられている、アテローム硬化性病変の治療用の管状内腔内プロテーゼ。
【請求項３６】
前記ラジアル方向接続要素は、前記プロテーゼの縦軸に対して垂直でないように配向される、請求項３５に記載のプロテーゼ。
【請求項３７】
前記ラジアル方向接続要素は、少なくとも実質的に線状のバー要素で基本的に構成される、請求項３５に記載のプロテーゼ。
【請求項３８】
縦軸を有しており、
側方に近接するラジアル方向バンドに配置された複数の不連続な砂時計型要素であって、該砂時計型要素の縦軸は、プロテーゼの該縦軸に対して均一に斜めに配向される、複数の砂時計型要素を含み、
ラジアル方向バンドの各砂時計型要素は、同一の側方軸を共有する側方に近接するラジアル方向バンドの砂時計型要素に、側方接続要素によって接続され、該側方接続要素は該接続された砂時計型要素の側方軸と整列させられ、そして、
各砂時計型要素は、そのように接続された該砂時計型要素のそれぞれの側面に取り付けられた正弦波接続要素によって、側方に近接するラジアル方向バンドの非同軸的に整列させられた砂時計型要素に接続される、アテローム硬化性病変の治療用の管状内腔内プロテーゼ。
【請求項３９】
前記正弦波接続要素はｓ型である、請求項３８に記載のプロテーゼ。
【請求項４０】
前記砂時計型要素のサイドツーサイドの接続は、該接続された砂時計型要素のくびれ部分またはその近傍に配置される、請求項３８に記載のプロテーゼ。
【請求項４１】
前記プロテーゼの末端に存在する前記砂時計型要素は、ラジアル方向の末端接続要素によってラジアル方向に近接する砂時計型要素に接続され、該ラジアル方向の末端接続要素は砂時計型要素の外側に面する端を、ラジアル方向に近接する砂時計型要素の側面上の点に接続する、請求項３８に記載のプロテーゼ。
【請求項４２】
２つの末端を有しており、
４つの角を有するｘ型の構造要素と、起伏のある小コネクタ要素とから基本的に構成される、プロテーゼの該末端の間に配置される本体部分を含み、
各ｘ型要素は、該角のそれぞれにおいて、起伏のある小コネクタ要素によって別のｘ型要素の角に接続される、アテローム硬化性病変の治療用の管状内腔内プロテーゼ。
【請求項４３】
前記起伏のある小接続要素は、正弦波形状の接続要素を含む、請求項４２に記載のプロテーゼ。
【請求項４４】
前記起伏のある小接続要素は、ｓ型の接続要素を含む、請求項４２に記載のプロテーゼ。
【請求項４５】
前記起伏のある小接続要素は、ｚ型の接続要素を含む、請求項４２に記載のプロテーゼ。
【請求項４６】
前記プロテーゼは、少なくとも一部が金属である、請求項１〜４５のいずれか１項に記載のプロテーゼ。
【請求項４７】
前記プロテーゼは、少なくとも一部がポリマである、請求項１〜４６のいずれか１項に記載のプロテーゼ。
【請求項４８】
前記プロテーゼは、少なくとも一部がバルーン拡張可能である、請求項１〜４７のいずれか１項に記載のプロテーゼ。
【請求項４９】
前記プロテーゼは、３気圧以下の圧力によって展開半径までバルーン拡張可能である、請求項１〜４８のいずれか１項に記載のプロテーゼ。
【請求項５０】
前記プロテーゼは、少なくとも一部が自己展開式である、請求項１〜４９のいずれか１項に記載のプロテーゼ。
【請求項５１】
請求項１〜５０のいずれか１項に記載のプロテーゼ、および患者の血管内の不安定プラークの部位において該プロテーゼを展開するための手段を含む、それを必要とする患者において不安定プラークを治療するシステム。
【請求項５２】
前記プロテーゼを前記部位に展開するための手段が送達カテーテルを含む、請求項５１に記載のシステム。
【請求項５３】
前記不安定プラークの前記部位の位置を定めるための手段をさらに含む、請求項５１に記載のシステム。
【手続補正２】
【補正対象書類名】明細書
【補正対象項目名】０００８
【補正方法】変更
【補正の内容】
【０００８】
本発明は、管状内腔内プロテーゼを提供し、不安定プラーク等のアテローム硬化性病変を治療するための方法に関する。
本発明は、例えば、以下を提供する：
（項目１）
ピークおよびトラフをそれぞれが含む複数のラジアル方向正弦波バンドであって、側方に近接するバンドの該ピークおよびトラフは同相である、複数のラジアル方向正弦波バンドと、
近接するバンドを互いに接続する複数の側方コネクタ要素であって、該側方コネクタ要素は、バンドの交互するピークを近接するバンドの該近接するトラフに接続し、そして、該側方コネクタ要素は側方に交互に配置される、複数の側方コネクタ要素と
を含む、アテローム硬化性病変の治療用の管状内腔内プロテーゼ。
（項目２）
上記側方コネクタ要素は、少なくとも実質的に真直ぐである、項目１に記載のプロテーゼ。
（項目３）
それぞれが曲線部分、２つの脚および２つの足を有する複数のアーチ型要素を含む複数のラジアル方向バンドであって、ラジアル方向バンド内の該アーチ型要素は、側方に配向して交互し、かつ、該ラジアル方向に近接するアーチ型要素の足を結合するアーチ接続要素によって、ラジアル方向に近接するアーチ型要素に接続する、複数のラジアル方向バンドと、
近接するラジアル方向バンドを互いに接続する複数のバンド接続要素であって、該バンド要素は、アーチ型要素のピークを側方に近接するバンドの側方に近接するアーチ要素のトラフに接続し、任意の２つのバンド接続要素は、同一のラジアル方向位置に配置されないので３つの連続的に配置されたラジアル方向バンドを接続する、複数のバンド接続要素と
を含む、アテローム硬化性病変の治療用の管状内腔内プロテーゼ。
（項目４）
上記バンド接続要素は、側方に交互する態様で配置される、項目３に記載のプロテーゼ。
（項目５）
バンド接続要素が配置される上記ラジアル方向位置において、上記バンド接続要素は、それぞれの近接する対のラジアル方向バンドの間に配置される、項目３に記載のプロテーゼ。
（項目６）
アーチ接続要素は、ラジアル方向に近接するアーチ接続要素の上記近接する足を接続する、項目３に記載のプロテーゼ。
（項目７）
上記アーチ接続要素は、少なくとも実質的に真直ぐなバー要素から基本的に構成される、項目６に記載のプロテーゼ。
（項目８）
水平に配向されたアーチ要素をそれぞれが含む複数のラジアル方向正弦波バンドであって、該水平に配向されたアーチ要素は、それぞれ曲線アーチ部分、２つの脚および２つの足を含み、ラジアル方向に近接するアーチ要素は、該ラジアル方向に近接するアーチ要素の該足の間に延在するバー要素によって互いに接続され、ラジアル方向に近接するアーチ要素の該水平配向は、各ラジアル方向正弦波バンド内で交互し、そして、側方に近接する正弦波バンドは互いに同相である、ラジアル方向正弦波バンドと、
近接するバンドを互いに接続する複数の側方コネクタ要素と
を含み、
該側方コネクタ要素は側方に近接するアーチ要素を互いに接続する、アテローム硬化性病変の治療用の管状内腔内プロテーゼ。
（項目９）
上記側方コネクタ要素は、上記アーチ要素の交互する列の中に存在する、項目８に記載のプロテーゼ。
（項目１０）
上記側方コネクタ要素が存在する列の中において、該側方コネクタ要素は、すべての近接するラジアル方向バンド要素を互いに接続する、項目８に記載のプロテーゼ。
（項目１１）
上記側方コネクタ要素は、上記アーチ要素をそれらのピークにおいて近接するラジアル方向バンドにおける対応するトラフに接続する、項目８に記載のプロテーゼ。
（項目１２）
上記側方コネクタ要素は、真直ぐなまたは正弦波の形状である、項目８に記載のプロテーゼ。
（項目１３）
上記アーチ要素の上記ピークおよびその直近における該アーチ要素の部分の幅は狭窄している、項目８に記載のプロテーゼ。
（項目１４）
縦軸を有しており、
同相である複数の縦方向に配置された正弦波背骨要素と、
ラジアル方向に近接する背骨要素を接続する複数の背骨接続要素であって、各接続要素の末端におけるラジアル方向に近接する背骨要素への接続点は、該背骨要素の相に関して２波長分だけ離れている、複数の背骨接続要素と
を含み、
それぞれの背骨接続要素は、これが接続される該背骨要素の形状に従うように配向される３つのバー部分から構成される、アテローム硬化性病変の治療用の管状内腔内プロテーゼ。
（項目１５）
上記背骨接続要素は、上記縦軸に対して斜めに配向され、該背骨接続要素の該斜め配向は、上記プロテーゼに対して側方に均一であり、ラジアル方向に交互する、項目１４に記載のプロテーゼ。
（項目１６）
上記背骨要素との接続点は、上記接続が行われる背骨要素のピークとトラフとの間にある、項目１４に記載のプロテーゼ。
（項目１７）
上記プロテーゼの各端において、上記背骨要素は、それぞれ非外傷性タブ要素において終端する、項目１４に記載のプロテーゼ。
（項目１８）
縦軸を有しており、
同相である複数の縦方向に配置された正弦波背骨要素と、
ラジアル方向に近接する背骨要素を接続する複数の背骨接続要素であって、各接続要素の末端におけるラジアル方向に近接する背骨要素への接続点は、該背骨要素の相に関して約１波長分だけ離れている、複数の背骨接続要素と
を含み、
該背骨接続要素は、基本的に単一のバー要素で構成される、アテローム硬化性病変の治療用の管状内腔内プロテーゼ。
（項目１９）
背骨接続要素は、上記縦軸に対して斜めに配向され、該背骨接続要素の該斜め配向は、上記プロテーゼに対して側方に均一であり、ラジアル方向に交互する、項目１８に記載のプロテーゼ。
（項目２０）
上記背骨要素との接続点のそれぞれは、該接続が行われる背骨要素のピークとトラフとの間にある、項目１８に記載のプロテーゼ。
（項目２１）
上記プロテーゼの各端において、上記背骨要素は、それぞれ非外傷性タブ要素において終端する、項目１８に記載のプロテーゼ。
（項目２２）
縦軸を有しており、
同相である複数の縦方向に配置された正弦波背骨要素と、
ラジアル方向に近接する背骨要素を接続する複数の背骨接続要素と
を含み、
該背骨接続要素は、３つのバー部分で構成され、そして、各接続要素の末端におけるラジアル方向に近接する背骨要素への接続点は、該背骨要素の相に関して約４分の１波長分だけ離れている、アテローム硬化性病変の治療用の管状内腔内プロテーゼ。
（項目２３）
上記背骨接続要素の配向は、上記プロテーゼに対して側方に均一であり、ラジアル方向に交互する、項目２２に記載のプロテーゼ。
（項目２４）
上記背骨要素との上記接続点は、上記接続が行われる背骨要素のピークとトラフとの間にある、項目２２に記載のプロテーゼ。
（項目２５）
上記プロテーゼの各端において、交互する背骨要素は、非外傷性タブ要素において終端する、項目２２に記載のプロテーゼ。
（項目２６）
任意で上記プロテーゼの末端を除く、ラジアル方向接続要素が存在する各側方位置において、背骨要素は、１つのラジアル方向に近接する背骨要素にのみ接続されることにより、背骨接続要素のラジアル方向に交互するパターンを形成する、項目２２に記載のプロテーゼ。
（項目２７）
一列の背骨接続要素の中で側方に、該要素は、それぞれの側方に近接する背骨接続要素から約１波長分だけ離れている、項目２２に記載のプロテーゼ。
（項目２８）
上記背骨接続要素のラジアル方向に近接する列の該背骨接続要素は、互いから側方にオフセットしている、項目２２に記載のプロテーゼ。
（項目２９）
縦軸を有しており、
同相である複数の縦方向に配置された正弦波背骨要素と、
ラジアル方向に近接する背骨要素を接続する複数の背骨接続要素と
を含み、
該背骨接続要素は、ｚ構成または鏡像ｚ構成を有する３つのバー部分で構成され、そして、各背骨接続要素の末端におけるラジアル方向に近接する背骨要素への接続点は、該背骨要素の相に対して少なくともおよそ同相である、アテローム硬化性病変の治療用の管状内腔内プロテーゼ。
（項目３０）
上記背骨接続要素の配向は、上記プロテーゼに対して側方に均一であり、ラジアル方向に交互している、項目２９に記載のプロテーゼ。
（項目３１）
上記背骨要素との上記接続点は、上記接続が行われる背骨要素のピークとトラフとの間にある、項目２９に記載のプロテーゼ。
（項目３２）
背骨接続要素が存在する各側方位置において、背骨要素は、１つのラジアル方向に近接する背骨要素にのみ接続されることにより、背骨接続要素のラジアル方向に交互するパターンを形成する、項目２９に記載のプロテーゼ。
（項目３３）
背骨接続要素の一つの列の中で側方に、該要素は、それぞれの側方に近接する背骨接続要素から約０．５波長分だけ離れている、項目２９に記載のプロテーゼ。
（項目３４）
上記背骨接続要素のラジアル方向に近接する列の該背骨接続要素は、互いから側方にオフセットしている、項目２９に記載のプロテーゼ。
（項目３５）
縦軸を有しており、
側方に近接するラジアル方向バンドに配置された複数の砂時計型要素であって、該砂時計型セルの縦軸はプロテーゼの該縦軸に対して斜めに配向される、複数の砂時計型要素を含み、
砂時計型セルのラジアル方向バンド内で、各セルはその上に、ラジアル方向接続要素によってラジアル方向に近接する砂時計型要素と並んで接続され、そして、
ラジアル方向バンドの各砂時計型要素は、同一の側方軸を共有する側方に近接するラジアル方向バンドの砂時計型要素に、側方接続要素によって接続され、該側方接続要素は、該接続された砂時計型要素の側方軸と整列させられている、アテローム硬化性病変の治療用の管状内腔内プロテーゼ。
（項目３６）
上記ラジアル方向接続要素は、上記プロテーゼの縦軸に対して垂直でないように配向される、項目３５に記載のプロテーゼ。
（項目３７）
上記ラジアル方向接続要素は、少なくとも実質的に線状のバー要素で基本的に構成される、項目３５に記載のプロテーゼ。
（項目３８）
縦軸を有しており、
側方に近接するラジアル方向バンドに配置された複数の砂時計型要素であって、該砂時計型セルの縦軸は、プロテーゼの該縦軸に対して斜めに配向される、複数の砂時計型要素を含み、
ラジアル方向バンドの各砂時計型要素は、同一の側方軸を共有する側方に近接するラジアル方向バンドの砂時計型要素に、側方接続要素によって接続され、該側方接続要素は該接続された砂時計型要素の側方軸と整列させられ、そして、
各砂時計型要素は、そのように接続された該砂時計型要素のそれぞれの側面に取り付けられた正弦波接続要素によって、側方に近接するラジアル方向バンドに非同軸的に整列させられて接続される、アテローム硬化性病変の治療用の管状内腔内プロテーゼ。
（項目３９）
上記正弦波接続要素はｓ型である、項目３８に記載のプロテーゼ。
（項目４０）
上記砂時計型要素のサイドツーサイドの接続は、該接続された砂時計型要素のくびれ部分またはその近傍に配置される、項目３８に記載のプロテーゼ。
（項目４１）
上記プロテーゼの末端に存在する上記砂時計型要素は、ラジアル方向の末端接続要素によってラジアル方向に近接する砂時計型要素に接続され、該ラジアル方向の末端接続要素は砂時計型要素の外側に面する端を、ラジアル方向に近接する砂時計型要素の側面上の点に接続する、項目３８に記載のプロテーゼ。
（項目４２）
２つの末端を有しており、
４つの角を有するｘ型の構造要素と、起伏のある小コネクタ要素とから基本的に構成される、プロテーゼの該末端の間に配置される本体部分を含み、
各ｘ型要素は、該角のそれぞれにおいて、起伏のある小コネクタ要素によって別のｘ型要素に接続される、アテローム硬化性病変の治療用の管状内腔内プロテーゼ。
（項目４３）
上記起伏のある小接続要素は、正弦波形状の接続要素を含む、項目４２に記載のプロテーゼ。
（項目４４）
上記起伏のある小接続要素は、ｓ型の接続要素を含む、項目４２に記載のプロテーゼ。
（項目４５）
上記起伏のある小接続要素は、ｚ型の接続要素を含む、項目４２に記載のプロテーゼ。
（項目４６）
上記プロテーゼは、少なくとも一部が金属である、項目１〜４５のいずれか１項に記載のプロテーゼ。
（項目４７）
上記プロテーゼは、少なくとも一部がポリマである、項目１〜４６のいずれか１項に記載のプロテーゼ。
（項目４８）
上記プロテーゼは、少なくとも一部がバルーン拡張可能である、項目１〜４７のいずれか１項に記載のプロテーゼ。
（項目４９）
上記プロテーゼは、３気圧以下の圧力によって展開半径までバルーン拡張可能である、項目１〜４８のいずれか１項に記載のプロテーゼ。
（項目５０）
上記プロテーゼは、少なくとも一部が自己展開式である、項目１〜４９のいずれか１項に記載のプロテーゼ。
（項目５１）
項目１〜５０のいずれか１項に従って、患者の血管内の不安定プラークの部位においてプロテーゼを展開するステップを含む、それを必要とする患者において不安定プラークを治療する方法。
（項目５２）
送達カテーテルを使用して、上記プロテーゼを上記部位に送達するステップをさらに含む、項目５１に記載の方法。
（項目５３）
上記プロテーゼを展開する前に、上記不安定プラークの上記部位の位置を定めるステップをさらに含む、項目５１に記載の方法。